【事件の表示】
　特願２０１３−　５７４６６「核燃料集合体用の偏位制限外周スプリングを含むスペーサ及びその作製方法」拒絶査定不服審判事件〔平成２５年１０月　３日出願公開、特開２０１３−２００３０７〕について、次のとおり審決する。
【結　論】
　本件審判の請求は、成り立たない。
【理　由】
第１　手続の経緯
　本願は、平成２５年（２０１３年）３月２１日（パリ条約による優先権主張　２０１２年３月２３日、米国）の出願であって、平成２７年１月２９日付けで拒絶理由が通知され、同年４月２３日に意見書が提出されるとともに手続補正がされ、同年９月２８日付けで最後の拒絶理由が通知され、同年１２月２１日に意見書が提出されるとともに手続補正がされたが、平成２８年５月３１日付けで前記平成２７年１２月２１日付け手続補正について補正の却下の決定がなされるとともに、同日付け（送達　同年６月７日）で拒絶査定（以下「原査定」という。）がされ、これに対し、同年１０月４日に拒絶査定不服審判請求がなされるとともに、同時に手続補正がなされたものである。
　
第２　平成２８年１０月４日になされた手続補正（以下「本件補正」という。）についての補正却下の決定
［補正却下の決定の結論］
　本件補正を却下する。
　
［理由］
１　補正の内容
　本件補正は、本件補正前（平成２７年４月２３日になされた手続補正）の特許請求の範囲を、以下のとおりに補正する内容を含むものである（下線は補正箇所を示す。）。
　本件補正前の特許請求の範囲の請求項１につき、
「核燃料集合体（１０）を作製する方法であって、本方法は、
　燃料棒（１４）を受け取るための複数のグリッド開口部（１０３）及び燃料スペーサ（１００）の周囲に延在する外周バンド（１０１）を有する前記スペーサ（１００）を形成するステップ
を含み、
　前記形成するステップは、前記外周バンド（１０１）の同じ外側面上に、弾性抵抗部材（１１２）及び対応する偏位制限器（１１１）を設けるステップを含み、
　前記弾性抵抗部材（１１２）は、前記燃料棒（１４）と平行な横断方向に弾性的に運動し、
　前記対応する偏位制限器（１１１）は、前記弾性抵抗部材（１１２）よりも横断方向に堅固である、
方法。」
とあったものを、
「核燃料集合体（１０）を作製する方法であって、本方法は、
　燃料棒（１４）を受け取るための複数のグリッド開口部（１０３）及び燃料スペーサ（１００）の周囲に延在する外周バンド（１０１）を有する前記スペーサ（１００）を形成するステップ
を含み、
　前記形成するステップは、前記外周バンド（１０１）の同じ外側面上に、弾性抵抗部材（１１２）及び対応する偏位制限器（１１１）を設けるステップを含み、
　前記弾性抵抗部材（１１２）は、前記燃料棒（１４）
の軸方向に対して垂直な
　前記対応する偏位制限器（１１１）は、前記弾性抵抗部材（１１２）よりも横断方向に堅固であり、
　
前記対応する偏位制限器（１１１）は、前記弾性抵抗部材（１１２）の前記外周バンド（１０１）周方向の両端に隣接して位置し、かつ、前記軸方向には存在せず、
　
前記対応する偏位制限器（１１１）および前記弾性抵抗部材（１１２）は、前記軸方向に長尺である、
方法。」
に補正。
　
２　補正の目的
（１）本件補正は、補正前の請求項１において、弾性抵抗部材（１１２）の弾性的に運動する方向に関して、「燃料棒（１４）と平行な横断方向」とあったものを「燃料棒（１４）の軸方向に対して垂直な横断方向」と補正して、弾性的に運動する方向について明りょうでない記載の釈明を行うとともに、「前記対応する偏位制限器（１１１）は、前記弾性抵抗部材（１１２）の前記外周バンド（１０１）周方向の両端に隣接して位置し、かつ、前記軸方向には存在せず、前記対応する偏位制限器（１１１）および前記弾性抵抗部材（１１２）は、前記軸方向に長尺である」との限定を付加するものである。
　
（２）上記補正について検討する。
　上記（１）の補正は、明りょうでない記載を釈明し、限定を付加するものであるから、当該補正は、特許法第１７条の２第５項第４号に掲げる明りょうでない記載の釈明及び特許法第１７条の２第５項第２号に掲げる特許請求の範囲の減縮を目的とするものに該当する。
　
３　独立特許要件について
　そこで、本件補正後の請求項１に係る発明（以下「本願補正発明」という。）が、特許出願の際独立して特許を受けることができるものであるかどうか（特許法第１７条の２第６項において準用する同法第１２６条第７項に規定する要件を満たすか否か）について検討する。
（１）本願補正発明の認定
　本願補正発明は、上記「１」において、本件補正後のものとして記載したとおりのものと認める。
　
（２）刊行物の記載及び引用発明
ア　原査定における拒絶理由に引用された、本願の優先日前に日本国内において頒布された刊行物である、特開２００９−１３３７３６号公報（以下「引用文献１」という。）には、以下の記載がある。
（ア）「【技術分野】
【０００１】
　本発明は、沸騰水型原子炉に装荷される
燃料集合体
【０００６】
　地震時において、
燃料集合体の軸方向に複数配置された燃料スペーサ
　
（イ）「【００１２】
　本発明に係る燃料スペーサの実施形態について説明する。
　図１（ａ）、（ｂ）は本発明の第１の実施形態に係る燃料スペーサ24の上面図および側面図であり、図７に示した従来の格子型燃料スペーサ７と基本的には同様な全体構造を有しているが、本実施の形態に係る格子型燃料スペーサ24は、ローブ14の形状が改良されている。したがって、本実施の形態では従来例と異なった部分のみを説明し、スペーサの全体的な構造についてはその説明を省略する。
【００１３】
　図１（ａ）、（ｂ）に示すように、
格子型燃料スペーサ
バンド９、
燃料棒又はウォータロッドが挿通される複数のセル12、フロータブ21、及びバンド９の各辺に設けられたローブ14から構成され
【００１４】
　前述したように沸騰水型原子炉の運転状態ではバンド中央部付近で燃料スぺーサとチャンネルとの間隙が最大となるが、本第１の実施形態に係る燃料スペーサによれば、ローブ14aを低く、ローブ14bを高く設定したため、チャンネル各側面の中央部が外側に湾曲しても、燃料スぺーサのローブ14a及び14bはチャンネルと均一に接触することができ、その結果、地震の際も、チャンネル内面に対する燃料スペーサの各ローブ接触面を広くすることができるので、局所的な集中荷重の発生を抑制し、スペーサの機械強度における健全性裕度を向上させることができる。・・・
【００１８】
　図４（ａ）、（ｂ）は本発明の第４の実施形態に係る燃料スペーサ27の要部構造図である。図４（ａ）、（ｂ）に示すように、
格子型燃料スペーサ27
バンド９の各辺に設けられた複数のローブ14において、バンド中央側に位置する少なくとも１個のローブがチャンネル方向に湾曲したスプリング状の弾性部材22から構成されるとともに、そのチャンネル方向突出高さがバンドコーナ側のローブ14aよりも高く設定され
【００１９】
　本第４の実施形態に係る燃料スペーサによれば、
チャンネル方向に湾曲したスプリング状の弾性部材22を用いることにより、弾性部材22の弾性度、幅、突出高さを自由に変更できるので、設計自由度が大きい
【００２０】
　図５（ａ）、（ｂ）は本発明の第５の実施形態に係る燃料スペーサ28の要部構造図であって、
円筒状のセル18を採用した円筒状セル型燃料スペーサ28
　この円筒状セル型燃料スぺーサについても、上記第１乃至第４の実施形態で説明したローブ構造を適用し、局所的な集中荷重の発生を抑制し、スペーサの機械強度における健全性裕度を向上させることができる。」
　
（ウ）図１、４及び５は次のものである。
　
（エ）上記（ア）及び（イ）の記載を踏まえて、上記（ウ）の図５を見ると、第５の実施形態に係る、バンド９の各辺に設けられたローブ14a及び14bは燃料棒の軸方向に長尺であり、また、燃料棒又はウォータロッドが挿通される複数の円筒状のセル18は縦横に配列されることがみてとれる。
　
（オ）引用発明
　上記（ア）ないし（エ）によれば、第５の実施形態に係る、円筒状のセル18を採用した円筒状セル型燃料スペーサ28は、上記第１乃至第４の実施形態で説明したローブ構造を適用し、円筒状セル型燃料スペーサ28を燃料集合体の軸方向に複数配置して燃料集合体を構成するから、引用文献１には、次の発明（以下「引用物発明１」という。）が記載されているものと認められる。
「バンド９、燃料棒又はウォータロッドが挿通される複数の円筒状のセル18、フロータブ21、及び、バンド９の各辺に設けられたローブ14a及び14bから構成される円筒状セル型燃料スペーサ28を、軸方向に複数配置した燃料集合体であって、
　前記バンド９の各辺に設けられたローブ14a及び14bは燃料棒の軸方向に長尺であり、
　燃料棒又はウォータロッドが挿通される複数の円筒状のセル18が縦横に配列されてなる、
　燃料集合体。」
　また、引用物発明１は、下記の方法（以下「引用方法発明１」という。）で作成されることは明らかである。
　したがって、引用文献１には、次の引用方法発明１が記載されているものと認められる。
「バンド９、燃料棒又はウォータロッドが挿通される複数の円筒状のセル18、フロータブ21、及び、バンド９の各辺に設けられたローブ14a及び14bから円筒状セル型燃料スペーサ28を構成し、
　前記円筒状セル型燃料スペーサ28を燃料棒の軸方向に複数配置して燃料集合体を構成するものであって、
　前記バンド９の各辺に設けられたローブ14a及び14bは燃料棒の軸方向に長尺であり、
　燃料棒又はウォータロッドが挿通される複数の円筒状のセル18が縦横に配列されてなる、
　燃料集合体を作成する方法。」
　
イ　原査定における拒絶理由に引用された、本願の優先日前に日本国内において頒布された刊行物である、特開平５−３４１０７４号公報（以下「引用文献２」という。）には、以下の記載がある）。
（ア）「【０００１】
【産業上の利用分野】本発明は沸騰水型原子炉の燃料バンドルとその
燃料棒スペーサ
　
（イ）「【００２３】図３、４および５には、図２の従来技術の状態を防ぐためのバンド１４の改良を示す。バンド１４（スペーサＳのバンド１４。簡単にするためにスペーサの残りの部分は省略してある）は、それぞれ手前の側面３１、３２および向こう側の側面３３、３４が示されている。向こう側の側面３３、３４に関して、
側面
突起部
が形成され
【００２４】手前の側面３１、３２に関して、側面３１には突起部４１、４２が形成され、側面３２には突起部４３、４４が形成されている。図５の詳細図を参照すると分かるように、これらの突起部は同様にバンド１４の金属に対して設けられた「バスタブ」状の凹みであるが、特に突起部４５〜４８と比較すると明らかなように比較的薄い。これら４つの突起部４１〜４４の目的は、バンド１４でチャネルＣとスペーサＳとの間に充分なセンタリング（心出し）用の間隔を占めることである（図６参照）。この突起部４１〜４４によって定められるチャネルＣに対する間隔は２つの目的を考慮して選択される。
【００２５】第一に、組み立て時、組み立てられた残りの燃料バンドルＢ上にチャネルＣを嵌めるにはクリアランスが必要である。したがって、突起部４１〜４４は、この組み立て時クリアランスを設けるのに充分な間隔だけ突起部４５〜４８より小さい。第二に、チャネルＣに近い燃料棒Ｒから、「最悪の場合」の臨界出力限界を定めるための最小の間隔が決められる。したがって、突起部４１〜４４の寸法は、この「最悪の場合」の臨界出力寸法を与えるものである。
【００２６】最後に、手前の側面３１、３２には
板バネ
【００２７】板バネ６１〜６４はチャネルＣの角に近い位置にあるのが好ましい。この位置だと、チャネルが最大の強度をもっている場合、板バネがチャネルに接する。バネ６１〜６４の機能は図６から容易に理解できる。簡単にいって、バネ６１〜６４は側面３１、３２上のバンド１４のところでスペーサＳを偏らせてチャネルＣから離そうとする。そのため、突起部４５〜４８はチャネルＣに接し、突起部４１〜４４はチャネルＣから離れる。チャネルＣ中に閉じ込められた燃料棒Ｒのセンタリングは突起部４５〜４８およびチャネルＣに対するスペーサＳの寸法により決まる最適の間隔で起こる。
【００２８】
板バネ
垂直に配置するのが好ましい
　
（ウ）図３及び６は次のものである。
　
（エ）上記（ア）ないし（ウ）によれば、引用文献２には次の事項（以下「引用文献２に記載の事項」という。）が記載されていると認められる。
「側面には突起部が形成され、また、板バネが設けられる燃料棒スペーサにおいて、前記板バネは垂直に配置するのが好ましい点。」
　
（３）対比・判断
ア　対比
　本願補正発明と引用方法発明１を対比する。
（ア）引用方法発明１は、「バンド９、燃料棒又はウォータロッドが挿通される複数の円筒状のセル18、フロータブ21、及び、バンド９の各辺に設けられたローブ14a及び14bから円筒状セル型燃料スペーサ28を構成」し、「燃料棒又はウォータロッドが挿通される複数の円筒状のセル18が縦横に配列されてなる」方法の発明であるから、燃料棒又はウォータロッドが挿通される複数の円筒状のセル18を縦横に配置して構成した開口、及び、周囲に設けられたバンド９を有する円筒状セル型燃料スペーサ28を作成するステップを備えるといえる。
　したがって、引用方法発明１の、「バンド９、燃料棒又はウォータロッドが挿通される複数の円筒状のセル18、フロータブ21、及び、バンド９の各辺に設けられたローブ14a及び14bから円筒状セル型燃料スペーサ28を構成」し、「燃料棒又はウォータロッドが挿通される複数の円筒状のセル18が縦横に配列されてなる」ことは、本願補正発明の、「燃料棒（１４）を受け取るための複数のグリッド開口部（１０３）及び燃料スペーサ（１００）の周囲に延在する外周バンド（１０１）を有する前記スペーサ（１００）を形成するステップを含」むことに相当する。
　
（イ）引用方法発明１の、「バンド９の各辺に設けられたローブ14a及び14bから円筒状セル型燃料スペーサ28を構成」することは、本願補正発明の、「前記形成するステップは、前記外周バンド（１０１）の同じ外側面上に、弾性抵抗部材（１１２）及び対応する偏位制限器（１１１）を設けるステップを含」むことと、「前記形成するステップは、前記外周バンド（１０１）の同じ外側面上に、対応する偏位制限器（１１１）を設けるステップを含」む点で一致する。
　
（ウ）引用方法発明１の、「前記バンド９の各辺に設けられたローブ14a及び14bは燃料棒の軸方向に長尺であ」ることは、本願補正発明の、「前記対応する偏位制限器（１１１）および前記弾性抵抗部材（１１２）は、前記軸方向に長尺である」ことと、「前記対応する偏位制限器（１１１）は、前記軸方向に長尺である」点で一致する。
　
（エ）引用方法発明１の「燃料集合体を作成する方法」は、本願補正発明の「核燃料集合体（１０）を作製する方法」に相当する。
　
（オ）以上（ア）ないし（エ）での検討によれば、本願補正発明と引用方法発明１は、
「核燃料集合体（１０）を作製する方法であって、本方法は、
　燃料棒（１４）を受け取るための複数のグリッド開口部（１０３）及び燃料スペーサ（１００）の周囲に延在する外周バンド（１０１）を有する前記スペーサ（１００）を形成するステップ
を含み、
　前記形成するステップは、前記外周バンド（１０１）の同じ外側面上に、対応する偏位制限器（１１１）を設けるステップを含み、
　前記対応する偏位制限器（１１１）は、前記軸方向に長尺である、
方法。」
である点で一致し、下記点で相違する。
　
・本願補正発明は、「前記燃料棒（１４）の軸方向に対して垂直な横断方向に弾性的に運動し、前記対応する偏位制限器（１１１）は、前記弾性抵抗部材（１１２）よりも横断方向に堅固であり、前記対応する偏位制限器（１１１）は、前記弾性抵抗部材（１１２）の前記外周バンド（１０１）周方向の両端に隣接して位置し、かつ、前記軸方向には存在せず」、「前記軸方向に長尺である」「弾性抵抗部材（１１２）」を備えるのに対して、引用方法発明１はこのような弾性抵抗部材を備えるとは特定されない点（以下「相違点１」という。）。
　
イ　判断
　相違点１について検討する。
　引用方法発明１の「円筒状セル型燃料スぺーサ28」について、引用文献１には、「上記第１乃至第４の実施形態で説明したローブ構造を適用し、局所的な集中荷重の発生を抑制し、スペーサの機械強度における健全性裕度を向上させることができる」（上記「（２）」「ア」「（イ）」）と記載され、当該「第４の実施形態で説明したローブ構造」として、引用文献１には、「バンド９の各辺に設けられた複数のローブ14において、バンド中央側に位置する少なくとも１個のローブがチャンネル方向に湾曲したスプリング状の弾性部材22から構成されるとともに、そのチャンネル方向突出高さがバンドコーナ側のローブ14aよりも高く設定され」、「チャンネル方向に湾曲したスプリング状の弾性部材22を用いることにより、弾性部材22の弾性度、幅、突出高さを自由に変更できるので、設計自由度が大きい」「燃料スぺーサ」（上記「（２）」「ア」「（イ）」）が記載されている。
　ここで、「側面には突起部が形成され、また、板バネが設けられる燃料棒スペーサにおいて、前記板バネは垂直に配置するのが好ましい」（引用文献２に記載の事項）ことが引用文献２に記載されている。
　そうすると、引用方法発明１において、「局所的な集中荷重の発生を抑制し、スペーサの機械強度における健全性裕度を向上させる」ために「バンド９の各辺に設けられた複数のローブ14において、バンド中央側に位置する少なくとも１個のローブがチャンネル方向に湾曲したスプリング状の弾性部材22」を適用するに際して、設計自由度は大きいとされているのであるから、「弾性部材22の弾性度、幅、突出高さを自由に変更」して、引用文献２に記載された「垂直に配置する」「板バネ」の如くに構成することに格別の技術的困難性は認められない。
　そして、引用方法発明１に「垂直に配置する」「板バネ」の如くに構成すれば、燃料棒の軸方向に対して垂直な横断方向に弾性的に運動するものとなり、また、「弾性部材22の弾性度、幅、突出高さを自由に変更」できるから、対応するローブ14aは、板バネよりも横断方向に堅固であってよく、板バネのバンド９周方向の両端に隣接して位置し、かつ、軸方向には存在せず、軸方向に長尺なものとなることは明らかである。
　したがって、引用方法発明１に引用文献１の記載を踏まえて引用文献２に記載の事項を採用し、上記相違点１に係る本願補正発明の構成となすことは当業者が容易に想到し得ることである。
　
（４）まとめ
　したがって、本願補正発明は、引用方法発明１及び引用文献１、２に記載の事項に基づいて、当業者が容易に発明をすることができたものであるから、特許法第２９条第２項の規定により、特許出願の際独立して特許を受けることができないものである。
　
４　補正却下の決定についてのむすび
　上記３の検討によれば、本件補正は、特許法第１７条の２第６項において準用する同法第１２６条第７項の規定に違反するものであるから、同法第１５９条第１項の規定において読み替えて準用する同法第５３条第１項の規定により却下すべきものである。
　
第３　本願発明について
１　本願発明
　上記のとおり、本件補正は却下されたので、本願の特許請求の範囲の請求項に係る発明は、平成２７年４月２３日に補正された特許請求の範囲の請求項１ないし１０に記載されたとおりのものであるところ、その請求項１に係る発明（以下「本願発明」という。）は、上記「第２」［理由］「１　補正の内容」において、本件補正前のものとして示したとおりのものである。
　
２　刊行物の記載及び引用発明
（１）引用文献１には、上記第２、［理由］３（２）ア（ア）ないし（エ）の事項が記載されている。
　
（２）引用発明
　上記第２、［理由］３（２）ア（ア）ないし（エ）によれば、引用文献１には、次の発明（以下「引用物発明２」という。）が記載されているものと認められる。
「バンド９、縦横に配列されたディバイダ11、燃料棒又はウォータロッドが挿通される複数のセル12、フロータブ21、及びバンド９の各辺に設けられたローブ14から構成される格子型燃料スペーサ27を、軸方向に複数配置した燃料集合体であって、
　前記バンド９の各辺に設けられた複数のローブ14において、バンド中央側に位置する少なくとも１個のローブがチャンネル方向に湾曲したスプリング状の弾性部材22から構成されるとともに、そのチャンネル方向突出高さがバンドコーナ側のローブ14aよりも高く設定され、
　チャンネル方向に湾曲したスプリング状の弾性部材22を用いることにより、弾性部材22の弾性度、幅、突出高さを自由に変更できるので、設計自由度が大きい、
　燃料集合体。」
　また、引用物発明２は、下記の方法（以下「引用方法発明２」という。）で作成されることは明らかである。
　したがって、引用文献１には、次の引用方法発明２が記載されているものと認められる。
「バンド９、縦横に配列されたディバイダ11、燃料棒又はウォータロッドが挿通される複数のセル12、フロータブ21、及びバンド９の各辺に設けられたローブ14から格子型燃料スペーサ27を構成し、
　前記格子型燃料スペーサ27を燃料棒の軸方向に複数配置して燃料集合体を構成するものであって、
　前記バンド９の各辺に設けられた複数のローブ14において、バンド中央側に位置する少なくとも１個のローブをチャンネル方向に湾曲したスプリング状の弾性部材22から構成するとともに、そのチャンネル方向突出高さをバンドコーナ側のローブ14aよりも高く設定し、
　チャンネル方向に湾曲したスプリング状の弾性部材22を用いることにより、弾性部材22の弾性度、幅、突出高さを自由に変更できるので、設計自由度が大きい、
　燃料集合体の作成方法。」
　
３　対比・判断
（１）対比
　本願発明と引用方法発明２を対比する。
ア　引用方法発明２は、「バンド９、縦横に配列されたディバイダ11、燃料棒又はウォータロッドが挿通される複数のセル12、フロータブ21、及びバンド９の各辺に設けられたローブ14から格子型燃料スペーサ27を構成」する方法の発明であるから、縦横に配列されたディバイダ11及び燃料棒又はウォータロッドが挿通される複数のセル12からなる、縦横に配列して構成した開口、及び、周囲に設けられたバンド９を有する格子型燃料スペーサ27を作成するステップを備えるといえる。
　したがって、引用方法発明２の、「バンド９、縦横に配列されたディバイダ11、燃料棒又はウォータロッドが挿通される複数のセル12、フロータブ21、及びバンド９の各辺に設けられたローブ14から格子型燃料スペーサ27を構成」することは、本願発明の、「燃料棒（１４）を受け取るための複数のグリッド開口部（１０３）及び燃料スペーサ（１００）の周囲に延在する外周バンド（１０１）を有する前記スペーサ（１００）を形成するステップを含」むことに相当する。
　
イ　引用方法発明２の、「前記バンド９の各辺に設けられた複数のローブ14において、バンド中央側に位置する少なくとも１個のローブをチャンネル方向に湾曲したスプリング状の弾性部材22から構成するとともに、そのチャンネル方向突出高さをバンドコーナ側のローブ14aよりも高く設定し、チャンネル方向に湾曲したスプリング状の弾性部材22を用いることにより、弾性部材22の弾性度、幅、突出高さを自由に変更できるので、設計自由度が大き」くなすことは、本願発明の、「前記形成するステップは、前記外周バンド（１０１）の同じ外側面上に、弾性抵抗部材（１１２）及び対応する偏位制限器（１１１）を設けるステップを含み、前記弾性抵抗部材（１１２）は、前記燃料棒（１４）と平行な横断方向に弾性的に運動し、前記対応する偏位制限器（１１１）は、前記弾性抵抗部材（１１２）よりも横断方向に堅固である」ことと、「前記形成するステップは、前記外周バンド（１０１）の同じ外側面上に、弾性抵抗部材（１１２）及び対応する偏位制限器（１１１）を設けるステップを含み、前記弾性抵抗部材（１１２）は、弾性的に運動」する点で一致する。
　
ウ　引用方法発明２の「燃料集合体を作成する方法」は、本願発明の「核燃料集合体（１０）を作製する方法」に相当する。
　
エ　以上アないしウでの検討によれば、本願発明と引用方法発明２は、
「核燃料集合体（１０）を作製する方法であって、本方法は、
　燃料棒（１４）を受け取るための複数のグリッド開口部（１０３）及び燃料スペーサ（１００）の周囲に延在する外周バンド（１０１）を有する前記スペーサ（１００）を形成するステップ
を含み、
　前記形成するステップは、前記外周バンド（１０１）の同じ外側面上に、弾性抵抗部材（１１２）及び対応する偏位制限器（１１１）を設けるステップを含み、
　前記弾性抵抗部材（１１２）は、前記燃料棒（１４）と平行な横断方向に弾性的に運動し、
　前記対応する偏位制限器（１１１）は、前記弾性抵抗部材（１１２）よりも横断方向に堅固である、
方法。」
である点で一致し、下記点で相違する。
　
・本願発明の「弾性抵抗部材（１１２）」は、「前記燃料棒（１４）と平行な横断方向に」弾性的に運動し、「前記対応する偏位制限器（１１１）は、前記弾性抵抗部材（１１２）よりも横断方向に堅固である」のに対して、引用方法発明２の「スプリング状の弾性部材22」はこのようには特定されない点（以下「相違点２」という。）。
　
（２）判断
　相違点２について検討する。
　引用方法発明２の「スプリング状の弾性部材22」は、「チャンネル方向に湾曲したスプリング状の弾性部材22から構成」されるから、燃料棒の軸方向と平行な横断方向に弾性的に運動することは明らかである。
　また、引用方法発明２の「スプリング状の弾性部材22」は、「そのチャンネル方向突出高さがバンドコーナ側のローブ14aよりも高く設定」するものであり、また、「弾性部材22の弾性度、幅、突出高さを自由に変更できる」ものであるから、これを「ローブ14a」は「弾性部材22」よりも横断方向に堅固であるものとなすことは「自由に変更できる」設計的事項にすぎない。
　そうすると、本願発明は、引用方法発明２との間に実質的に相違するところは認められないから、本願発明は引用方法発明２である。
　
４　小括
　以上のとおり、本願発明は、引用方法発明２であるから、特許法第２９条第１項第３号に該当し、特許を受けることができない。
　
第４　むすび
　以上のとおり、本願発明は引用方法発明２であるから、特許法第２９条第１項第３号の規定により、特許を受けることができないものであり、本願の他の請求項に係る発明について検討するまでもなく、本願は拒絶されるべきものである。
　よって、結論のとおり審決する。